(57)【特許請求の範囲】
【請求項１】
書棚、本棚又はキャビネットなどの棚に用いられる物品の落下防止具であって、
横長の棒状体からなる長尺の横竿と、前記横竿の両端に前記横竿と直交して設けられた短尺の縦竿とを備えた落下防止竿と、
前記落下防止竿の両端に一対設けられ、前記縦竿端部を回動可能に支持して前記横竿が上方位置と下方位置とを移動可能にする固定部材と、
一方の端部である正面側に前記一対の固定部材をそれぞれ固定し、他方の端部である背面側にコの字状に形成されるフック部材を有し、前記固定部材と前記フック部材との間には底面側に細長平面状に形成される設置部を有する取付部材と、を備えることを特徴とする落下防止具。
【請求項２】
前記設置部には、底面側の少なくとも一部に粘着性の部材を備えたことを特徴とする請求項１記載の落下防止具。
【請求項３】
前記フック部材は、縦方向に伸縮自在な長さ調整機構を備えたことを特徴とする請求項１又は２記載の落下防止具。
【発明の詳細な説明】
【技術分野】
【０００１】
本発明は、書棚、本棚やキャビネットなどの棚に用いられる物品の落下防止具であって、特に、既存の棚に対して着脱が自在で振動や揺れによっても棚に搭載された物品を確実に保持可能な落下防止具に関する。
【背景技術】
【０００２】
従来、書棚、本棚やキャビネットなどの棚に備えられた棚板の前面に、横長の棒状体を設置して、地震や揺れがあった場合でも、棚板に搭載された本等の物品の落下を防止する落下防止部材が提案されている（例えば、特許文献１参照。）。
【０００３】
従来の落下防止具は、書架などの棚の前面において、棚の正面の物品取り出し口に当たる部分に、可動の棒状体を渡らせることで、搭載物が取り出し口から脱落するのを防止するものである。より具体的には、物品の取り出し口の左右に位置する棚の支柱に、一対の取付金具を取り付けるとともに、この取付金具に横竿と縦竿からなる落下防止竿を、その端部を軸として横竿が上方に向く位置と下方に向く位置との間を回動可能になるように取り付ける。また、支柱への取付金具には、横竿が上方に位置する際に、この横竿を上方で固定する固定部材が設けられている。この固定部材は、上部が開口し横竿を挿入する凹状の引っ掛けを形成している。
【０００４】
また、書架などの棚に取り付けられる落下防止具としては、棚の支柱に棚板の高さを調整可能にする複数の係合孔が設けられているものがあり、この係合孔を利用して落下防止用のバーを取り付ける構成も提案されている（例えば、特許文献２参照。）。この態様では、落下防止バーの高さを、支柱に複数設けられた係合孔の高さに合わせて変更することで、自在に調整することが可能となる。
【先行技術文献】
【特許文献】
【０００５】
【特許文献１】特開２００４−２３６８３１号公報
【特許文献２】特開２００１−１２８７６６号公報
【発明の概要】
【発明が解決しようとする課題】
【０００６】
しかしながら、従来の落下防止具は、設計段階から取り付けを想定しているものであれば良いが、当初は落下防止具の取り付けを予定していない既存の棚に対して用いるには、次のような課題があった。すなわち、特許文献１に代表される、支柱の前面にビス留めするような態様では、新たに取付穴を設け、ビス留めする必要があった。このような構成では、例えば、図書館のように、棚自体の数が膨大で、その一つ一つの棚板に取り付けなければならないことを考えると、設置作業に手間が掛かり、使い勝手の良いものとはいえなかった。
【０００７】
また、特許文献２に代表される、支柱に設けられた棚板の高さを調整するための係合孔に設置する技術では、特許文献１のように新たに取付穴を設ける必要はないが、支柱に係合孔が設けられていない棚には用いることができず、また、係合孔の形状も必ずしも統一されているとは言えないので互換性や汎用性の面で課題があった。
【０００８】
特に上記のような作業は、棚板上の搭載物である書籍等を棚からすべて取り除いた状態で行うのが通常であるが、図書館など、書籍が無数あるところで、そのような運用をすることは作業性からみて現実的でない。また、現地での穴を開口する作業も、棚板が薄いスチール製であることが多く、加工時に加工音が発生するとともに、スチール屑が発生するから、やはり図書館等の公共性の高い箇所では、現地製品への現場での加工も回避されるべき事情があった。
【０００９】
本発明は、以上のような従来技術の課題を解決するために提案されたものであり、その目的は、大きな揺れや振動においても外れることなく、棚の棚板に搭載された物品を確実に保持可能であり、かつ、既存の棚に対しても設置が容易な落下防止具を提供することにある。
【課題を解決するための手段】
【００１０】
上記課題を解決するため、請求項１に係る発明は、書棚、本棚又はキャビネットなどの棚に用いられる物品の落下防止具であって、横長の棒状体からなる長尺の横竿と、前記横竿の両端に前記横竿と直交して設けられた短尺の縦竿とを備えた落下防止竿と、前記落下防止竿の両端に一対設けられ、前記縦竿端部を回動可能に支持して前記横竿が上方位置と下方位置とを移動可能にする固定部材と、一方の端部である正面側に前記一対の固定部材をそれぞれ固定し、他方の端部である背面側にコの字状に形成されるフック部材を有し、前記固定部材と前記フック部材との間には底面側に細長平面状に形成される設置部を有する取付部材と、を備えることを特徴とする。
【００１１】
以上の態様では、フック部材を備えた取付部材を、棚板の両側に一対搭載することにより、穴開け加工などの作業を要せずに簡単な手法で、既存の棚に落下防止具を取り付けることが可能となる。特に、図書館に設置されるタイプの書棚では、横幅も広く、床から天井程度の高さに至るまで多段に構成されており、このような書棚に対して落下防止具を設置するに当たって、すべての書籍を取り除いた上で作業を行うのは作業効率からいって、適当とはいえない。この点、本発明の落下防止具では、フック部材を棚板の奥側背面部分に引っ掛けられればいいので、書籍を取り除かなくてもそのまま設置することが可能で、既存の棚に設置するに当たって、従来品に比較して作業効率を飛躍的に向上させることができる。
【００１２】
請求項２の発明は、請求項１の発明において、前記設置部には、底面側の少なくとも一部に粘着性の部材を備えたことを特徴とする。
【００１３】
以上の態様では、取付部材の底面側である設置部に、例えば、両面テープ等の粘着性を有する部材を配することで、取付部材を棚板に対して位置ずれがなく安定的に設置することができる。
【００１４】
請求項３の発明は、請求項１又は２の発明において、前記フック部材は、縦方向に伸縮自在な長さ調整機構を備えたことを特徴とする。
【００１５】
以上の態様では、取付部材のフック部材の構成を、棚板の厚みの変化に対応できるように、下方のＬ字部分を伸縮可能に構成する。これにより、複数のタイプの棚に対して、対応して設置することができるようになる。
【発明の効果】
【００１６】
以上のような本発明によれば、大きな揺れや振動においても外れることなく、棚の棚板に搭載された物品を確実に保持可能であり、かつ、既存の棚に対しても設置が容易な落下防止具を提供することができる。
【図面の簡単な説明】
【００１７】
【図１】本発明の実施の形態に係る落下防止具の全体構成を示す斜視図。
【図２】本発明の実施の形態に係る落下防止具の棚板への取り付け状態を示す斜視図。
【図３】本発明の実施の形態に係る落下防止具を設置した棚を示すイメージ図。
【発明を実施するための形態】
【００１８】
以下、本発明の実施の形態（以下、本実施形態という。）について、図面を参照しながら説明する。なお、図面においては、一部分を省略して示す場合がある。
【００１９】
［１．本実施形態］
［１−１．構成］
本実施形態の落下防止具１は、書棚、本棚又はキャビネットなどの棚に搭載される物品の落下防止具であって、図１に示すように、落下防止竿１１と、落下防止竿１１の両端に一対設けられ、落下防止竿１１を上方位置と下方位置とで回動可能に支持する固定部材１２と、固定部材１２と同様左右一対で設けられ、固定部材１２を棚板に固定する取付部材１３とを備える。固定部材１２と取付部材１３とは、スチール製の板状体を曲げ加工して形成される。
【００２０】
落下防止竿１１は、横長の棒状体からなる長尺の横竿１１Ａと、横竿１１Ａの両端に横竿と直交して設けられた短尺の縦竿１１Ｂとを備える。横竿１１Ａと、縦竿１１Ｂとは、２本の棒状体を横竿１１Ａと縦竿１１Ｂとの境界で接合してなる。
【００２１】
横竿１１Ａは、縦竿１１Ｂとの接合部より外側に突出した部分を有し、この部分が、後述する固定部材１２に固定される被固定部１１Ｃをなす。一方、縦竿１１Ｂは、横竿１１Ａと直交する方向で接合され、その先で、再び直交方向に曲がって後述する固定部１２に軸支される軸受け部１１Ｄを形成している。
【００２２】
固定部材１２は、落下防止竿１１の両端に一対設けられ、縦竿１１Ｂの端部を回動可能に支持する横竿１１Ａが上方位置と下方位置とを移動可能にする軸固定部１２Ａと、横竿１１Ａが上方位置にある際に、横竿１１Ａの被固定部１１Ｃを保持する開口部１２Ｂとを有する。
【００２３】
この固定部材１２は、一枚の板状体を屈曲変形させて構成したものであり、軸固定部１２Ａは、コの字状に曲げられつつ、コの字の開口部分を後述する取付部材１３の正面部分に溶接等により接続することで縦長の箱状をなし、この筒状に軸受け部１１Ｄを挿通させることで軸受け部１１Ｄが上下移動とともに回動が可能となるように支持している。
【００２４】
一方、開口部１２Ｂは、固定部材１２の上端部分をＬ字状に変形させ、軸固定部１２Ａと同様に、後述する取付部材１３の正面部分に同じく溶接等により接続することで、上向きコの字状のポケットを形成している。この上向きコの字状のポケットからなる開口部１２Ｂに、横竿１１Ａの被固定部１１Ｃが上部から挿入されることで、横竿１１Ａが上方位置で保持されるようになっている。
【００２５】
取付部材１３は、一方の端部である正面側に一対の固定部材１２を固定する正面板１３Ａと、他方の端部である背面側にコの字状に形成されるフック部材１３Ｂを備える。また、正面板１３Ａとフック部材１３Ｂとの間には底面側に細長平面状に形成される設置板１３Ｃを備え、さらに、正面板１３Ａと設置板１３Ｃとは側板１３Ｄにより連設されている。これらの正面板１３Ａ及び側板１３Ｄは、一枚のスチール製の板状体を折り曲げ加工することにより形成され、フック部材１３Ｂ及び設置板１３Ｃは、一枚の細長スチール板を折り曲げ加工して形成されている。また、正面板１３Ａ及び側板１３Ｄを形成する板状体と、フック部材１３Ｂ及び設置板１３Ｃを形成する板状体とは、溶接により接続されている。
【００２６】
正面板１３Ａは、正面側において、固定部材１２の横幅と同程度で縦長に形成される。フック部材１３Ｂは、設置板１３Ｃを形成する板状体の端部を底面方向にコの字状に曲げ加工してなる。フック部材１３Ｂは、棚板Ｒの背面側に引っ掛けて、落下防止具１全体を棚板に固定する役割を担うものであるので、コの字の大きさは棚板Ｒの背面側の形状に依拠して適宜調整される。
【００２７】
設置板１３Ｃは、棚板Ｒの奥行き方向に渡って棚板Ｒと接して、フック部材１３Ｂにおける落下防止具１の棚板Ｒへの固定を補助する役割を担う。なお、本実施形形態では、設置板１３Ｃの棚板Ｒへの接触固定をより確実なものにするため、例えば、図に示すように、両面テープＴを設置板１３Ｃと棚板Ｒとの間に間挿している。側板１３Ｄは、側面視略三角形状でなり、固定部材１２及び落下防止具１全体の形状や強度を補助する役割を担うとともに、落下防止具１を棚に設置する際に、棚板Ｒの側端部で側板１３Ｄを支柱に接して配置するなど、位置決めを容易にする役割も担う（図２参照）。
【００２８】
取付部材１３は、基本的には、棚板Ｒの両側端部に設置されるものであり、棚板Ｒの奥行き方向のサイズに合わせて、フック部材１３Ｂ、設置板１３Ｃ及び側板１３Ｄのサイズが決定されるとともに、棚板Ｒの横幅に応じて、落下防止竿１１の長さが決定される。
【００２９】
［１−２．作用効果］
以上のような構成の落下防止具１の作用について、図１と、落下防止具１を棚板に設置した状態を示した図２及び落下防止具１を格段に設けた棚を示す図３を参照して説明する。
【００３０】
図１に示す状態から、取付部材１３の設置板１３Ｃの裏面に、両面テープＴを貼付するとともに、棚板Ｒの両側端において、まず、棚板Ｒの背面に、フック部材１３Ｂを引っかける。次に、設置板１３Ｃを、棚板Ｒの奥行き方向に沿って設置し、両面テープＴの粘着力により固定する。この状態を図２に示す。
【００３１】
以上のような作業により、棚板Ｒの左右両側に、落下防止具１が設置される。この落下防止具１は、図２に示すように、落下防止竿１１を、固定部材１２の軸固定部１２Ａに軸支された状態で、下方位置（図に二点差線で示す）から上方位置に移動させ、横竿１１Ａの両端部に設けられた被固定部１１Ｃを、固定部材１２の開口部１２Ｂに挿入することにより固定し使用する。
【００３２】
図２及び図３のイメージ図に示すように、棚Ｃを構成する格段の棚板Ｒに、落下防止具１を設けることにより、棚板Ｒに搭載した書籍Ｂが、地震等の影響による揺れや振動によって図中手前側に落下しようとした場合、落下防止竿１１の横竿１１Ａによりその落下を防止することができる。
【００３３】
図２及び図３の状態において、棚板Ｒに搭載した本は、図中手前側に落ちようとするため、落下防止竿１１に掛かる力の方向も図中手前側になる。このとき、フック部材１３Ｂは、棚板Ｒの背面側で引っかかっているので、棚板Ｒの正面側方向に働く力に対しては強い構成となっている。
【００３４】
以上のような本実施形態の落下防止具１によれば、フック部材１３Ｂを備えた取付部材１３を、棚板Ｒの両側に一対搭載することにより、穴開け加工などの作業を要せずに簡単な手法で、既存の棚に落下防止具を取り付けることが可能となる。
【００３５】
特に、図３のイメージ図に示すような図書館に設置されるタイプの書棚では、横幅も広く、床から天井程度の高さに至るまで多段に構成されており、このような書棚Ｃに対して落下防止具を設置するに当たって、すべての書籍Ｂ（図中二点鎖線で表す。）を取り除いた上で作業を行うのは作業効率からいって、適当とはいえない。この点、本実施形態の落下防止具１では、フック部材１３Ｂを棚板Ｒの奥側背面部分に引っかけられればいいので、書籍Ｂを取り除かなくてもそのまま設置することが可能で、従来品に比較して作業効率を飛躍的に上げることができる。
【００３６】
また、フック部材１３Ｂを、棚板Ｒの奥行き方向背面側に引っ掛ける構成により、棚から飛び出そうとする書籍の落下防止竿１１に働く力を確実に押さえることができる。
【００３７】
また、取付部材１３の底面側である設置板１３Ｃと棚板Ｒとの間に、両面テープＴを間挿したことで、取付部材１３の位置ずれがなく、棚板Ｒ上で落下防止具１を安定的に設置することができる。
【００３８】
［２．他の実施形態］
本発明は、上記実施形態で示した態様に限定されるものではなく、例えば、以下の態様も包含する。上記実施形態において示した側板の形状は最適な実施形態の一例を示すものであり、上述の通り、落下防止具全体の形状や強度を補助する役割や、位置決めを容易にする役割を果たす限り、側面視三角形状に限らず、任意の形状に変更可能である。
【００３９】
また、固定部材についても、従来同様の構成であって、本発明に顕著な構成ではないので、縦竿端部を回動可能に支持して横竿が上方位置と下方位置とを移動可能にする構成である限り、他の公知の構成に置き換えることは可能である。
【００４０】
さらに、上記実施形態において、取付部材のフック部材の構成を、コの字形状で示したが、本発明はこのような態様に限られず、コの字部分の形状を、棚板の厚みの変化に対応できるように、下方のＬ字部分を伸縮可能に構成することもできる。
【符号の説明】
【００４１】
１…落下防止武具
１１…落下防止竿
１１Ａ…横竿
１１Ｂ…縦竿
１１Ｃ…被固定部
１１Ｄ…軸受け部
１２…固定部材
１２Ａ…軸固定部
１２Ｂ…開口部
１３…取付部材
１３Ａ…正面板
１３Ｂ…フック部材
１３Ｃ…設置板
１３Ｄ…側板
Ｂ…書籍
Ｃ…棚
Ｒ…棚板
Ｔ…両面テープ
【図１】
0005848581.tif 000002
【図２】
0005848581.tif 000003
【図３】
0005848581.tif 000004